(57)【要約】【課題】  従来よりもランニングコストに優れる携帯用予備電源を提供しようとするもの。【解決手段】  家庭用交流電源から充電可能な二次電池と前記二次電池の変圧回路とを具備し、前記家庭用交流電源から二次電池に充電しておき、携帯時には前記二次電池の電圧を変圧回路により携帯機器２の標準電圧より高い電圧に変圧して電流を流すようにした。この携帯用予備電源では、予め家庭用交流電源から二次電池に充電しておき、携帯機器のバッテリー残量が減ってきた時に接続して、前記二次電池の電圧を変圧回路により携帯機器の標準電圧より高い電圧に変圧して電流を流すように構成したので、バッテリーが減ってきた度ごとに上記背景技術に記載の可搬型充電器のように乾電池を購入する必要はなく家庭用交流電源を電源として利用することができる。【選択図】  図１
2005328595.tif 000002
【特許請求の範囲】
【請求項１】
家庭用交流電源から充電可能な二次電池と前記二次電池の変圧回路とを具備し、前記家庭用交流電源から二次電池に充電しておき、携帯時には前記二次電池の電圧を変圧回路により携帯機器２の標準電圧より高い電圧に変圧して電流を流すようにしたことを特徴とする携帯用予備電源。
【請求項２】
前記携帯機器２の使用中で充電はなされない際には外部電源として機能し、携帯機器２の使用を終了すると充電が開始し、携帯機器２が満充電されると携帯機器２から発信される信号を感知して充電が終了するようにした請求項１記載の携帯用予備電源。
【請求項３】
前記携帯機器２にはコネクター４とアダプター11を介して接続するようにしていると共に携帯機器２の仕様に応じて前記アダプター11を交換可能とした請求項１又は２記載の携帯用予備電源。
【請求項４】
前記変圧回路からの自然放電を防止するために電源スイッチを設けた請求項１乃至３のいずれかに記載の携帯用予備電源。
【発明の詳細な説明】
【技術分野】
【０００１】
この発明は、携帯電話やデジタルカメラなどの携帯機器の使用時バッテリーの残量が減ってきた際に使用する携帯用の予備電源に関するものである。
【背景技術】
【０００２】
従来より、携帯電話やデジタルカメラなどの携帯機器は、使用中に内蔵バッテリーの残量が減ってくることがある。
【０００３】
このため、コンビニアンス・ストアなどで手軽に購入することができる乾電池を電源として充電することができる可搬型充電器が提案されている（例えば、特許文献１参照）。
【０００４】
しかし、前記乾電池は使い捨てとなるためランニングコストが高くつくという問題がある。
【特許文献１】特開平１１―９８７０３号公報
【発明の開示】
【発明が解決しようとする課題】
【０００５】
そこでこの発明は、従来よりもランニングコストに優れる携帯用予備電源を提供しようとするものである。
【課題を解決するための手段】
【０００６】
前記課題を解決するためこの発明では次のような技術的手段を講じている。
【０００７】
(１)この発明の携帯用予備電源は、家庭用交流電源から充電可能な二次電池と前記二次電池の変圧回路とを具備し、前記家庭用交流電源から二次電池に充電しておき、携帯時には前記二次電池の電圧を変圧回路により携帯機器の標準電圧より高い電圧に変圧（昇圧又は／及び降圧）して電流を流すようにしたことを特徴とする。なお、家庭用交流電源から二次電池に充電する際には、通常は家で別体のＡＣ／ＤＣ変換器を介して充電する。
【０００８】
この携帯用予備電源では、予め家庭用交流電源から二次電池に充電しておき、携帯機器のバッテリー残量が減ってきた時に接続して、前記二次電池の電圧を変圧回路により携帯機器の標準電圧より高い電圧に変圧（昇圧又は／及び降圧）して電流を流すように構成したので、バッテリーが減ってきた度ごとに上記背景技術に記載の可搬型充電器のように乾電池を購入する必要はなく家庭用交流電源を電源として利用することができる。具体的には、携帯機器のバッテリーの電圧が不足する状態に陥った際に接続し、外部電源として使用したり充電機能を発揮させるたりすることができる。
【０００９】
例えば、二次電池の標準電圧が３．６〜４．２Ｖで携帯機器の標準電圧も３．６〜４．２Ｖ（携帯電話等）の場合、二次電池の電圧を変圧回路により携帯機器の標準電圧より高い電圧（４．８〜５．６Ｖ程度）に変圧（昇圧）して電流を流す。一方、二次電池の標準電圧が３．６〜４．２Ｖ程度で携帯機器の標準電圧は３．０Ｖ（コンパクト・デジタルカメラ等）の場合、二次電池の電圧を変圧回路により携帯機器の標準電圧より高い電圧（３．０〜４．０Ｖ程度）に変圧（降圧）して電流を流す。
【００１０】
前記二次電池として、ニッカド電池、ニッケル水素電池、リチウムイオン電池、リチウムイオンポリマー電池などを用いることができる。前記携帯機器として、携帯電話やデジタルカメラなどを挙げることができる。前記変圧回路として、電圧を昇圧したり又は／及び降圧することができるＩＣ基板を用いることができる。
【００１１】
(２) 前記携帯機器の使用中で充電はなされない際には外部電源として機能し、携帯機器の使用を終了すると充電が開始し、携帯機器が満充電されると携帯機器から発信される信号を感知して充電が終了するようにしたこととしてもよい。
【００１２】
このように構成すると、携帯機器の使用中（携帯電話の通話中やデジタルカメラの使用中等）には外部電源（ＤＣ電源）として機能し、携帯機器の不使用時には充電器として機能させることができる。
【００１３】
(３) 前記携帯機器にはコネクターとアダプターを介して接続するようにしていると共に携帯機器の仕様に応じて前記アダプターを交換可能としたこととしてもよい。
【００１４】
このように構成すると、同じ種類の携帯機器で同じ標準電圧であっても仕様によって接続部の形状が異なる場合、携帯機器の仕様に応じたアダプターに交換することにより複数の仕様の携帯機器に対応することができる。
【００１５】
(４) 前記変圧回路からの自然放電を防止するために電源スイッチを設けたこととしてもよい。このように構成すると、不使用時には変圧回路の電源スイッチを切っておくことにより自然放電を防止して節電することができる。
【００１６】
（５）過充電防止機能や過放電防止機能、逆電流防止機能を設けておくと、安全対策上好ましいものとなる。
【発明の効果】
【００１７】
この発明は上述のような構成であり、次の効果を有する。
【００１８】
バッテリーが減ってきた度ごとにに乾電池を購入する必要はなく家庭用交流電源を電源として利用することができるので、従来よりもランニングコストに優れる携帯用予備電源を提供することができる。
【発明を実施するための最良の形態】
【００１９】
以下、この発明の実施の形態を図面を参照して説明する。
（実施形態１）
図１乃至図３に示すように、この実施形態の携帯用予備電源１は、家庭用交流電源（ＡＣ１００Ｖ）から充電可能な二次電池と、前記二次電池の変圧回路とを内蔵している。そして、前記家庭用交流電源から二次電池に充電しておき、携帯時には前記二次電池の電圧を変圧回路により携帯機器２の標準電圧より高い電圧に変圧して電流を流すようにしている。
【００２０】
家庭用交流電源から二次電池に充電する際には、通常は家で別体のＡＣ／ＤＣ変換器（ＡＣ１００〜２００ＶからＤＣに変換、図示せず）を介して充電する。また前記二次電池として、ニッカド電池、ニッケル水素電池、リチウムイオン電池、リチウムイオンポリマー電池などを用いることができる。前記携帯機器２として、この実施形態では携帯電話を用いている。前記変圧回路として、二次電池の電圧を昇圧したり降圧することができるＩＣ基板を用いている。
【００２１】
この携帯用予備電源１のケーシングの上部には、上記ＡＣ／ＤＣ変換器からの充電用接続口３と、コネクター４の接続口５を設置している。また、変圧回路の電源スイッチ６と、電源が入っていることを表示するインジケータ７と、二次電池の残量表示部８とを設けている。そして、携帯用予備電源１はマスコット人形９の中に収容して、短い長さのコネクター４とアダプターを介して携帯電話に接続するようにしている。10は、携帯ストラップの取り付け用孔である。
【００２２】
前記携帯機器２にはコネクター４とアダプター11を介して接続するようにしていると共に、携帯機器２の仕様に応じて前記アダプター11を交換可能としている。すなわち、アダプター11はＦＯＭＡ、ＣＤＭＡ、ＰＤＣの各種類の通信方式の携帯電話の接続部の形状に接続可能としている（アダプター11は１種類のみを図示）。
【００２３】
そして、前記携帯機器２の使用中で充電はなされない際には外部電源として機能し、携帯機器２の使用を終了すると充電が開始し、携帯機器２が満充電されると携帯機器２から発信される信号を感知して充電が終了するようにしている。なお、過充電防止機能や過放電防止機能、逆電流防止機能を設けておくと、安全対策上好ましいものとなる。
【００２４】
次に、この実施形態の携帯用予備電源の使用状態を説明する。
【００２５】
二次電池の標準電圧が３．６〜４．２Ｖで携帯機器２（携帯電話）の標準電圧も３．６〜４．２Ｖの場合、二次電池の電圧を変圧回路により携帯機器２の標準電圧より高い電圧（５．６Ｖ程度）に昇圧して電流を流す（充電や外部電源）。なお、二次電池の標準電圧が６〜７Ｖ程度で携帯機器２の標準電圧は３．６〜４．２Ｖの場合、二次電池の電圧を変圧回路により携帯機器２の標準電圧より高い電圧（５．６Ｖ程度）に降圧して電流を流す（充電や外部電源）。
【００２６】
この携帯用予備電源１では、家庭用交流電源から別体のＡＣ／ＤＣ変換器を介して二次電池に充電しておき、携帯時には前記二次電池の電圧を変圧回路により携帯機器２の標準電圧より高い電圧に変圧して電流を流すようにしたので、バッテリーが減ってきた度ごとに乾電池を購入する必要はなく家庭用交流電源を充電用や外部電源用の電源として利用することができ、従来よりもランニングコストに優れるという利点がある。
【００２７】
また、携帯電話の通話中で充電はなされない際には外部電源として機能し、通話を終了すると充電が開始し、満充電されると携帯機器２から発信される信号を感知して充電が終了するようにしている。すなわち、携帯電話の通話中には外部電源（ＤＣ電源）として機能し、携帯機器２の不使用時には充電器として機能させることができるという利点がある。
【００２８】
さらに、前記携帯機器２にはコネクター４とアダプター11を介して接続するようにしていると共に携帯機器２の仕様に応じて前記アダプター11を交換可能としており、同じ種類の携帯機器２で同じ標準電圧であっても仕様によって接続部の形状が異なる場合、携帯機器２の仕様に応じたアダプター11に交換することにより複数の仕様の携帯機器２に対応することができるという利点がある。
【００２９】
その上、前記変圧回路の電源スイッチ６を設けており、不使用時には変圧回路の電源スイッチ６を切っておくことにより自然放電を防止して節電することができるという利点がある。
【００３０】
（実施形態２）
図４（図１及び図２も参照）に示すように、この実施形態の携帯用予備電源１は、家庭用交流電源（ＡＣ１００Ｖ）から充電可能な二次電池と、前記二次電池の変圧回路とを内蔵している。そして、前記家庭用交流電源から二次電池に充電しておき、携帯時には前記二次電池の電圧を変圧回路により携帯機器２の標準電圧より高い電圧に変圧して電流を流すようにしている。
【００３１】
家庭用交流電源から二次電池に充電する際には、通常は家で別体のＡＣ／ＤＣ変換器（ＡＣ１００〜２００ＶからＤＣに変換、図示せず）を介して充電する。また前記二次電池として、ニッカド電池、ニッケル水素電池、リチウムイオン電池、リチウムイオンポリマー電池などを用いることができる。前記携帯機器２として、この実施形態では携帯電話を用いている。前記変圧回路として、二次電池の電圧を昇圧したり降圧することができるＩＣ基板を用いている。
【００３２】
この携帯用予備電源１のケーシングの上部には、上記ＡＣ／ＤＣ変換器からの充電用接続口３と、コネクター４の接続口５を設置している。また、変圧回路の電源スイッチ６と、電源が入っていることを表示するインジケータ７と、二次電池の残量表示部８とを設けている。そして、携帯用予備電源１は長いコネクター４とアダプターを介して携帯電話に接続し、この携帯用予備電源１は胸ポケットＰに入れて使用するようにしている。10は、携帯ストラップの取り付け用孔である。
【００３３】
前記携帯機器２にはコネクター４とアダプター11を介して接続するようにしていると共に、携帯機器２の仕様に応じて前記アダプター11を交換可能としている。すなわち、アダプター11はＦＯＭＡ、ＣＤＭＡ、ＰＤＣの各種類の通信方式の携帯電話の接続部の形状に接続可能としている（アダプター11は１種類のみを図示）。
【００３４】
そして、前記携帯機器２の使用中で充電はなされない際には外部電源として機能し、携帯機器２の使用を終了すると充電が開始し、携帯機器２が満充電されると携帯機器２から発信される信号を感知して充電が終了するようにしている。なお、過充電防止機能や過放電防止機能、逆電流防止機能を設けておくと、安全対策上好ましいものとなる。
【００３５】
次に、この実施形態の携帯用予備電源の使用状態を説明する。
【００３６】
二次電池の標準電圧が３．６〜４．２Ｖで携帯機器２（携帯電話）の標準電圧も３．６〜４．２Ｖの場合、二次電池の電圧を変圧回路により携帯機器２の標準電圧より高い電圧（５．６Ｖ程度）に昇圧して電流を流す（充電や外部電源）。なお、二次電池の標準電圧が６〜７Ｖ程度で携帯機器２の標準電圧は３．６〜４．２Ｖの場合、二次電池の電圧を変圧回路により携帯機器２の標準電圧より高い電圧（５．６Ｖ程度）に降圧して電流を流す（充電や外部電源）。
【００３７】
この携帯用予備電源１では、家庭用交流電源から別体のＡＣ／ＤＣ変換器を介して二次電池に充電しておき、携帯時には前記二次電池の電圧を変圧回路により携帯機器２の標準電圧より高い電圧に変圧して電流を流すようにしたので、バッテリーが減ってきた度ごとに乾電池を購入する必要はなく家庭用交流電源を充電用や外部電源用の電源として利用することができ、従来よりもランニングコストに優れるという利点がある。
【００３８】
また、携帯電話の通話中で充電はなされない際には外部電源として機能し、通話を終了すると充電が開始し、満充電されると携帯機器２から発信される信号を感知して充電が終了するようにしている。すなわち、携帯電話の通話中には外部電源（ＤＣ電源）として機能し、携帯機器２の不使用時には充電器として機能させることができるという利点がある。
【００３９】
さらに、前記携帯機器２にはコネクター４とアダプター11を介して接続するようにしていると共に携帯機器２の仕様に応じて前記アダプター11を交換可能としており、同じ種類の携帯機器２で同じ標準電圧であっても仕様によって接続部の形状が異なる場合、携帯機器２の仕様に応じたアダプター11に交換することにより複数の仕様の携帯機器２に対応することができるという利点がある。
【００４０】
その上、前記変圧回路の電源スイッチ６を設けており、不使用時には変圧回路の電源スイッチ６を切っておくことにより自然放電を防止して節電することができるという利点がある。
【００４１】
（実施形態３）
図５（図１及び図２も参照）に示すように、この実施形態の携帯用予備電源１は、家庭用交流電源（ＡＣ１００Ｖ）から充電可能な二次電池と、前記二次電池の変圧回路とを内蔵している。そして、前記家庭用交流電源から二次電池に充電しておき、携帯時には前記二次電池の電圧を変圧回路により携帯機器２の標準電圧より高い電圧に変圧して電流を流すようにしている。
【００４２】
家庭用交流電源から二次電池に充電する際には、通常は家で別体のＡＣ／ＤＣ変換器（ＡＣ１００〜２００ＶからＤＣに変換、図示せず）を介して充電する。また前記二次電池として、ニッカド電池、ニッケル水素電池、リチウムイオン電池、リチウムイオンポリマー電池などを用いることができる。前記携帯機器２として、この実施形態ではデジタルカメラを用いている。前記変圧回路として、二次電池の電圧を昇圧したり降圧することができるＩＣ基板を用いている。
【００４３】
この携帯用予備電源１のケーシングの上部には、上記ＡＣ／ＤＣ変換器からの充電用接続口３と、コネクター４の接続口５を設置している。また、変圧回路の電源スイッチ６と、電源が入っていることを表示するインジケータ７と、二次電池の残量表示部８とを設けている。そして、携帯用予備電源１は、コネクター４を介してデジタルカメラに接続するようにしている。アダプター11は接続していない。10は、携帯ストラップの取り付け用孔である。
【００４４】
そして、前記携帯機器２の使用中で充電はなされない際には外部電源として機能し、携帯機器２の使用を終了すると充電が開始し、携帯機器２が満充電されると携帯機器２から発信される信号を感知して充電が終了するようにしている。ここで、デジタルカメラが二次電池ではなく一次電池を内蔵している場合には、もっぱら外部電源として機能する。なお、過充電防止機能や過放電防止機能、逆電流防止機能を設けておくと、安全対策上好ましいものとなる。
【００４５】
次に、この実施形態の携帯用予備電源の使用状態を説明する。
【００４６】
二次電池の標準電圧が３．６〜４．２Ｖ程度で携帯機器２（デジタルカメラ）の標準電圧は３．０Ｖの場合、二次電池の電圧を変圧回路により携帯機器の標準電圧より高い電圧（３．０Ｖ強程度）に変圧（降圧）して電流を流す。
【００４７】
この携帯用予備電源１では、家庭用交流電源から別体のＡＣ／ＤＣ変換器を介して二次電池に充電しておき、携帯時には前記二次電池の電圧を変圧回路により携帯機器２の標準電圧より高い電圧に変圧（降圧）して電流を流すようにしたので、バッテリーが減ってきた度ごとに乾電池を購入する必要はなく家庭用交流電源を充電用や外部電源用の電源として利用することができ、従来よりもランニングコストに優れるという利点がある。
【００４８】
また、デジタルカメラの使用中で充電はなされない際には外部電源として機能し、使用を終了すると充電が開始し、満充電されると携帯機器２から発信される信号を感知して充電が終了するようにしている。すなわち、デジタルカメラの使用中には外部電源（Ｄ／Ｃ電源）として機能し、デジタルカメラ（二次電池を内蔵する場合）の不使用時には充電器として機能させることができるという利点がある。
【００４９】
さらに、前記変圧回路の電源スイッチ６を設けており、不使用時には変圧回路の電源スイッチ６を切っておくことにより自然放電を防止して節電することができるという利点がある。
【産業上の利用可能性】
【００５０】
バッテリーが減ってきた度ごとに乾電池を購入する必要はなく家庭用交流電源を電源として利用することができ従来よりもランニングコストに優れ、種々の携帯用予備電源の用途に適用することができる。
【図面の簡単な説明】
【００５１】
【図１】この発明の携帯用予備電源の実施形態１を説明する斜視図。
【図２】図１の携帯用予備電源の平面図。
【図３】図１の携帯用予備電源の使用状態を示す斜視図。
【図４】この発明の携帯用予備電源の実施形態２の使用状態を説明する斜視図。
【図５】この発明の携帯用予備電源の実施形態３の使用状態を説明する斜視図。
【符号の説明】
【００５２】
２  携帯機器
４  コネクター
６  電源スイッチ
11  アダプター
【図１】
2005328595.tif 000003
【図２】
2005328595.tif 000004
【図３】
2005328595.tif 000005
【図４】
2005328595.tif 000006
【図５】
2005328595.tif 000007